(57)【特許請求の範囲】
【請求項１】
パチンコ機の前面枠の前面に固着される支持部と、その外周に指掛突部が形成され前記支持部に対して移動自在に設けられる操作レバーとを備えてなるパチンコ機の打球力調節用ハンドルにおいて、
前記支持部の内側に間隔保持用の突起を形成すると共に、前記操作レバーには前記支持部の突起が遊嵌する孔を開設して該操作レバーの回転範囲を規制し得るようにし、
さらに、前記操作レバーの指掛突部の後面にロック部材を嵌入可能な凹部を設けると共に、前記凹部に嵌入した前記ロック部材を前記支持部に圧接させることにより前記操作レバーを所望の移動位置に固定保持可能とする一方、前記支持部には、前記操作レバーの戻し位置で前記凹部に対応して前記ロック部材の圧接状態を解除する凹面部を設けたことを特徴とするパチンコ機の打球力調節用ハンドル。
【請求項２】
前記ロック部材が、パチンコ球である請求項１記載のパチンコ機の打球力調節用ハンドル。
【発明の詳細な説明】
【０００１】
【発明の属する技術分野】
本発明は、パチンコ機の前面枠の前面に固着される支持部と、該支持部に対して移動自在に設けられ、その移動により打球力を変化させる操作レバーとを備えてなるパチンコ機の打球力調節用ハンドルに関するものである。
【０００２】
【従来の技術】
従来、この種のパチンコ機の打球力調節用ハンドルとして、操作レバーを所望の回転位置に固定保持し得るようにしたものは知られている（例えば実公昭６０−３１７５３号公報参照）。
【０００３】
従来の打球力調節用ハンドルは、パチンコ機の前面枠の前面に固着される支持部内に制動歯車を設けると共に、該支持部に対して回転自在に設けられる打球力調節用の操作レバーに係合部を有した押釦を設け、該押釦を押圧操作してその係合部を制動歯車に噛合させることにより、操作レバーを所望の回転位置に固定保持し得るように構成されたものである。
【０００４】
【発明が解決しようとする課題】
上記した従来のパチンコ機の打球力調節用ハンドルは、構造が複雑で組立てに手間が掛かる上、コスト高になるという問題点があった。
【０００５】
また、操作レバーを固定保持するためには押釦を押圧し続けなければならず、このため指に負担が掛かって依然として遊技者に疲労感を与えるという問題点があった。
【０００６】
本発明は、上記した事情に鑑みてなされたもので、操作レバーを所望の移動位置で容易に固定保持することができるようなパチンコ機の打球力調節用ハンドルを提供することにある。
【０００７】
【課題を解決するための手段】
上記した目的を達成するために、請求項１記載の発明は、パチンコ機の前面枠の前面に固着される支持部と、該支持部に対して移動自在に設けられ、その移動により打球力を変化させる操作レバーとを備えてなるパチンコ機の打球力調節用ハンドルにおいて、前記支持部と操作レバーとの間の隙間にロック部材を挟み込んで該ロック部材を支持部に圧接させることにより操作レバーを所望の移動位置に固定保持するようにしたことを特徴としている。
【０００８】
また、請求項２記載の発明は、請求項１に記載の発明であって、前記操作レバーの戻し位置に、ロック部材の固定保持解除部を設けてなることを特徴としている。
【０００９】
さらに、請求項３記載の発明は、請求項２に記載の発明であって、前記ロック部材の固定保持解除部が、支持部に形成された凹面部であることを特徴としている。
【００１０】
また、請求項４記載の発明は、請求項１、２又は３に記載の発明であって、前記ロック部材が、パチンコ球であることを特徴としている。
【００１１】
そして、請求項１記載の発明によれば、簡単な構造で操作レバーを所望の移動位置に容易に固定保持することができ、請求項２及び請求項３に記載の発明によれば、操作レバーの固定保持状態を容易に解除することが可能となる。また、請求項４に記載の発明は、操作レバーの固定保持並びに固定保持解除動作が容易に可能となる。
【００１２】
【発明の実施の形態】
以下、図面を参照して本発明の実施の形態を説明する。まず、本実施の形態に係る打球力調節用ハンドルが適用される電動式パチンコ機の発射装置部分について図１および図２を参照して説明する。図において、１はパチンコ機の前面枠、２は該前面枠１の裏面にビス等で固着される打球発射装置の取付基板である。
【００１３】
前記取付基板２のほぼ中央部後面には、支軸３によって打球杆４が回転自在に支持されている。５は取付基板２の後面にモーター取付枠６を介して固着された低速回転モーターで、該モーター５の回転軸７にカム８が固着されている。９は前記打球杆４と一体をなすアームで、これにカム８と係合し得るローラー１０が設けられており、カム８がローラー１０に係合することによって打球杆４を反復回転させるようになっている。１１，１２は打球杆４の反復回転範囲を規制するため取付基板２に固着されたストッパである。
【００１４】
１３は後述する操作レバー２１の回転軸であり、その後端にプーリ１４が固着されている。１５はばね調節器で、打球杆４に一端を連結した引ばね１６と前記プーリ１４に一端を連結したワイヤ１７のそれぞれ他端が連結されており、ダイヤル１８の回動によって引ばね１６の初期引張力が自由に調節できるようになっている。
【００１５】
次に、図３および図４を参照して打球力調節用ハンドルの構成を説明する。このハンドル１９は、碗形に形成された支持部２０と、回転軸１３を有した操作レバー２１と、半球状のキャップ部２２とよりなる。
【００１６】
前記支持部２０は、中心に円筒状基部２３が形成され、その円筒状基部２３を前面枠１の前面に固着された軸受筒２４に嵌合してビス２５により該軸受筒２４に固着されるようになっている。また、前記支持部２０の内部にはマイクロスイッチ２６と、該マイクロスイッチ２６を作動させる揺動部材２７とが設けられている。そして、揺動部材２７は、ビス２８により揺動自在に支持されており、その一端の押釦部２９が支持部２０の切欠から外周に突出位置するようになっている。また、揺動部材２７の他端には当接片３０が形成されており、該当接片３０は操作レバー２１に形成された突起３１に係合し得るようになっている。なお、支持部２０の内底部には複数本の筒状の間隔保持突起３２が形成されている。
【００１７】
前記操作レバー２１は、中心に回転軸１３が設けられている。この回転軸１３は、Ｅリング３３により操作レバー２１に止着されて該操作レバー２１と一体に回転し得るようになっている。また、操作レバー２１には、回転軸１３を中心として前記支持部２０の間隔保持突起３２が遊嵌し得る円弧状孔３４が開設され、さらに外周に支持部２０の外周面より突出する複数の指掛突部３５ａ〜３５ｃが一体に形成されている。そして、前記回転軸１３が円筒状基部２３の貫通孔３６に挿通されて支持部２０に回転自在に支持されると共に、間隔保持突起３２と円弧状孔３４とによってその回転による移動範囲が規制されるようになっている。
【００１８】
なお、前記取付基板２の後面側に突出する回転軸１３の突出端に前記プーリ１４が固着されており、回転軸１３が回転するとプーリ１４が從回転するようになっている。また、操作レバー２１が引ばね１６によって回転付勢されて図５実線で示す戻り位置に置かれているとき、突起３１が当接片３０に係合して押圧し、マイクロスイッチ２６をオフ状態に保持するようになっている。
【００１９】
一方、前記キャップ部２２は、その内部に中心にねじ孔４２が穿設された位置決め用の筒部４３が形成されており、該筒部４３を支持部２０の間隔保持突起３２に嵌め合わせると共に、支持部２０の後側から間隔保持突起３２のねじ挿通孔３７にねじ３８を挿通して筒部４３のねじ孔４２に螺合させることにより支持部２０と一体化されるようになっている。
【００２０】
上記のように構成された打球力調節用ハンドル１９は、遊技者が操作レバー２１の指掛突部３５ａ〜３５ｃに指を掛けて該操作レバー２１を回転移動させると突起３１による当接片３０の押圧が解除されてマイクロスイッチ２６がオンし、低速回転モーター５が回転する。この低速回転モーター５の回転でカム８が回転することで打球杆４が反復回転し、引ばね１６の弾性によりパチンコ球が打撃され遊技盤上に発射される。そして、操作レバー２１の回転を調節すると回転軸１３，プーリ１４，ワイヤ１７，ばね調節器１５を介して引ばね１６の引張加減が調節されるため、打球杆４の打球力が任意に調節され打球の発射が調節される。
【００２１】
しかして、本発明では、前記操作レバー２１に形成された複数の指掛突部３５ａ〜３５ｃのうち、図５実線で示す操作レバー２１の戻し位置において押釦部２９の近くに位置する指掛突部３５ａであり、その後面に操作レバー２１を回転による移動位置で固定保持するロック部材Ｂを嵌入する凹部３９を設けている。詳しくは、指掛突部３５ａを後面が開口した中空に形成し、その中空部内に指掛突部３５ａの内側壁４４と、該指掛突部３５ａの内側に設けられた複数本のリブ壁４０とにより凹部３９を構成するようになっている。この凹部３９は、ロック部材Ｂを嵌入して操作レバー２１を所望な位置に回転移動させたとき該ロック部材Ｂが支持部２０の外周面に強く圧接して操作レバー２１がその回転による移動位置から戻らないように確固と固定保持可能なように選ばれる。なお、ロック部材Ｂとしては遊技者が使用するパチンコ球が最も効果的である。
【００２２】
一方、前記支持部２０の外周面にはロック部材Ｂの固定保持解除部４１が設けられている。この固定保持解除部４１は、押釦部２９の近くであり、かつ操作レバー２１の戻し位置で前記凹部３９に対応するように設けられた凹面部４１ａによって構成されている。この固定保持解除部４１は、指掛突部３５ａの凹部３９にロック部材Ｂを嵌入した状態においてそのロック部材Ｂが凹部３９から自然に落下し得るようにするためのものである。
【００２３】
しかして、操作レバー２１を図５鎖線に示すように所望の位置に回転移動させた後、操作レバー２１の後面から指掛突部３５ａの凹部３９にロック部材Ｂを強い力で押して嵌入させると、該ロック部材Ｂが支持部２０と操作レバー２１との間の隙間に挟み込まれた状態となって支持部２０の外周面に強く圧接することになり、これによって操作レバー２１がその所望の回転移動位置から戻らないように確固と固定保持される。このため、操作レバー２１を握っていなくても所望の位置へ打球を発射することができることになり、指に負担を掛けることなく楽に遊技を行うことができる。
【００２４】
一方、指掛突部３５ａの凹部３９にロック部材Ｂを嵌入した状態で操作レバー２１を図５実線の戻し位置に強制回転移動させると、該凹部３９と支持部２０の外周面に形成した固定保持解除部４１とが一致して凹部３９に嵌入されたロック部材Ｂが自然に落下することになり、これによって操作レバー２１の固定が解除される。したがって、遊技者が凹部３９にロック部材Ｂを嵌入したまゝの状態で帰っても従業員が操作レバー２１を戻し位置に回転させるだけの簡単な操作で凹部３９に嵌入されたまゝの状態のロック部材Ｂを取り外すことができ、次の遊技者に迷惑を及ぼすようなことがなくなる。
【００２５】
【発明の効果】
以上、説明したところから明らかなように、本発明に係るパチンコ機の打球力調節用ハンドルは、支持部と操作レバーとの間の隙間にロック部材を挟み込んで該ロック部材を支持部に圧接させることにより、操作レバーを所望の移動位置に容易かつ確固と固定保持することができる。
【００２６】
また、支持部の外周面にロック部材の固定保持解除部を設けたものであるから、操作レバーを戻し位置に強制的に回転移動させることによってロック部材による操作レバーの固定保持状態を自然に解除することができる。
【図面の簡単な説明】
【図１】本発明が適用される打球発射装置部分の概略斜視図である。
【図２】本発明に係る打球力調節用ハンドルの取付状態を示す平面図である。
【図３】本発明に係る打球力調節用ハンドルの裏面からの斜視図である。
【図４】本発明に係る打球力調節用ハンドルの分解斜視図である。
【図５】本発明の作用説明図である。
【符号の説明】
１          前面枠
１９        ハンドル
２０        支持部
２１        操作レバー
４１        固定保持解除部
４１ａ      凹面部
Ｂ          ロック部材（パチンコ球）
【図１】
0003699317.tif 000002
【図２】
0003699317.tif 000003
【図３】
0003699317.tif 000004
【図４】
0003699317.tif 000005
【図５】
0003699317.tif 000006